(57)【特許請求の範囲】
【請求項１】
重ね合わせ可能な理容はさみの位置決め装置であり、第一の刃、第二の刃、少なくとも１つの重ね合わせ構造、及び少なくとも１つの位置決め装置を包含し、
第二の刃は第一の刃と軸結合し、重ね合わせ構造は第一の刃及び第二の刃のうち、少なくとも１つの刃に結合され、この重ね合わせ構造の前、後側面にはそれぞれアリミゾの凹部及び該アリミゾに対応するアリガタの凸部を備え、且つ重ね合わせ構造には通し穴を設け、この通し穴前端は凹部に隣接し、この凹部と理容はさみの間に制止壁が形成され、通し穴前端に制止部を備え、位置決め装置は通し穴内に設置され、この位置決め装置は掛止め体、弾性部品及び固定接続部品を含み、通し穴内に順にこの掛止め体及び弾性部品を装入し、更に固定接続部品を結合し、この弾性部品の後端は固定接続部品で制止し、この弾性部品の前端上部は掛止め体を押し、制止部で保持され、この掛止め体は通し穴前端から突出し、２つの隣接する理容はさみが重ね合わさる時、１つの理容はさみの凸部はもう１つの理容はさみの凹部に嵌り込み、この凸部は掛止め体を超え、凸部上端は制止壁で止まり、掛止め体が通し穴前端から突出し、凸部底端に嵌り掛かり、２つ隣接して重なり合った理容はさみの位置を定めることを特徴とする、重ね合わせ可能な理容はさみの位置決め装置。
【請求項２】
前記掛止め体は円球体とすることを特徴とする請求項１により述べる重ね合わせ可能な理容はさみの位置決め装置。
【請求項３】
重ね合わせ可能な理容はさみの位置決め装置であり、第一の刃、第二の刃、少なくとも１つの重ね合わせ構造、及び少なくとも１つの位置決め装置を包含し、
第二の刃は第一の刃と軸結合し、重ね合わせ構造は第一の刃及び第二の刃のうち、少なくとも１つの刃に結合され、この重ね合わせ構造の前、後側面にはそれぞれアリミゾの凹部及び該アリミゾに対応するアリガタの凸部を備え、且つ重ね合わせ構造には通し穴を設け、この通し穴前端は凹部に隣接し、この凹部と理容はさみの間に制止壁が形成され、
位置決め装置は通し穴内に設置され、この位置決め装置は支え軸を持つ掛止め体、位置決め片、制止片、弾性部品及び固定接続部品を含み、通し穴内に順にこの掛止め体及び弾性部品を装入し、更に固定接続部品を結合し、且つ支え軸はそれぞれ位置決め片への嵌め組み及び制止片への固定嵌めを行い、位置決め片は通し穴内に固定され、前記弾性部品の前、後端はそれぞれ制止片及び固定接続部品を支え、制止片は更に位置決め片に寄りかかり、掛止め体を弾性部品の作用により通し穴の前端から突出させ、
２つの隣接した理容はさみを重ね合わせた時、１つの理容はさみの凸部をもう１つの理容はさみの凹部に嵌め込み、この凸部が掛止め体を超え、凸部上端は制止壁で止まり、掛止め体は通し穴前端から突出し、凸部底端に嵌り掛かり、２つ隣接して重なり合った理容はさみの位置を定めることを特徴とする、重ね合わせ可能な理容はさみの位置決め装置。
【請求項４】
掛止め体は円球体とすることを特徴とする請求項３により述べる重ね合わせ可能な理容はさみの位置決め装置。
【請求項５】
重ね合わせ可能な理容はさみの位置決め装置であり、第一の刃、第二の刃、少なくとも１つの通し穴、少なくとも１つの重ね合わせ構造、及び少なくとも１つの位置決め装置を包含し、
第二の刃は第一の刃と軸結合し、通し穴は第一の刃及び第二の刃のうちで、少なくとも１つの刃に設置され、この通し穴後端には制止部を備え、通し穴前端には凹入部が形成され、重ね合わせ構造はアリミゾである凹部と該アリミゾに対応するアリガタである凸部を有し、該重ね合わせ構造は第一の刃及び第二の刃のうちで、少なくとも１つの刃に結合され、この重ね合わせ構造により隣接した２つの理容はさみを重ねて組み合わせ、位置決め装置は通し穴内に設置し、この位置決め装置は掛止め体、弾性部品及び固定接続部品を含み、通し穴内に順に掛止め体及び弾性部品を装入し、更に固定接続部品を結合し、弾性部品の前、後端それぞれは固定接続部品及び掛止め体に当て止まり、掛止め体を制止部で留め、通し穴後端から突出させ、
２つの隣接した理容はさみを重ね合わせた時、１つの理容はさみの掛止め体はもう１つの理容はさみの凹入部に嵌め込まれ、２つ隣接して重なり合った理容はさみの位置を定めることを特徴とする、重ね合わせ可能な理容はさみの位置決め装置。
【請求項６】
前記理容はさみを二つ重ね合わせた時、前方の理容はさみの前記通し穴後端より突出する前記掛止め体が後方の理容はさみの前記通し穴前端に嵌まり込むように、該理容はさみの前記固定接続部品の前側面に凹陥部を設けることを特徴とする、請求項５により述べる重ね合わせ可能な理容はさみの位置決め装置。
【請求項７】
前記通し穴は重ね合わせ構造に設置することができることを特徴とする請求項５により述べる重ね合わせ可能な理容はさみの位置決め装置。
【請求項８】
前記通し穴は重ね合わせ構造に設置することができることを特徴とする請求項６により述べる重ね合わせ可能な理容はさみの位置決め装置。
【請求項９】
前記掛止め体は円球体とすることを特徴とする請求項５により述べる重ね合わせ可能な理容はさみの位置決め装置。
【発明の詳細な説明】
【技術分野】
【０００１】
本発明は重ね合わせ可能な理容はさみの位置決め装置を提供し、特に理容はさみを重ねて組み合わせた後に位置を定める技術に関連する。
【背景技術】
【０００２】
本発明は、発明者が以前取得した重複組み合わせの理容はさみ特許である特許文献１と特許文献２、特許文献３と特許文献４、特許文献５及び特許文献６の特許案に改善を施したものである。上述の特許は何本かの理容はさみを平行に組み合わせて並べられる外に、何本かの理容はさみを柔軟に高低層で並べることができ、ヘヤデザイン時の頭髪の修正カット、すきカット、段差カットなどの技術を存分に発揮できる。ただ、上述の特許設計時にあらゆる面を考慮できず、使用上の欠点が存在することとなった。理容はさみ１の第一の刃１０及び第二の刃２０がそれぞれ重ね構造８０に結合し、第１図に示すように、前記重ね構造８０の前、後側面にそれぞれ凹部８１と凸部８２を設け、凹部８１と凸部８２がお互いに重なり合って繋がり、何本かの理容はさみを並べて組み合わせる。凹部８１と凸部８２は「滑り位置かみ合わせ」組み合わせのため、凹部８１と凸部８２は非常に容易に滑って移動し、何本かの理容はさみ１を重複して組み合わせた後、位置決めの効果がない。片手で同時に何本かの理容はさみを握ってヘアカット時に、理容はさみ１の位置が滑って移動する欠点が生じ、片手で同時に何本かの理容はさみ１を握る上で困難と障害が生じることとなった。
【０００３】
【特許文献１】台湾特許公示第１５３４８７号明細書
【特許文献２】台湾特許公示第１９６５５０号明細書
【特許文献３】米国特許第６, １９２, ５９０Ｂ１号明細書
【特許文献４】米国特許第６, ６３４, １０６Ｂ２号明細書
【特許文献５】特許第３５８１８４７号明細書
【特許文献６】欧州特許第１３７１４６１号明細書
【発明の開示】
【発明が解決しようとする課題】
【０００４】
本発明の主要な目的は、重ね合わせ可能な理容はさみの位置決め装置の提供であり、それは理容はさみの第一の刃或いは／及び第二の刃に少なくとも１つの重ね合わせ構造を設ける。この重ね合わせ構造の前、後側面にはそれぞれアリミゾの凹部及び該アリミゾに対応するアリガタの凸部を設け、重ね合わせ構造には通し穴を設ける。通し穴前端は凹部に隣接し相通し、通し穴内には位置決め装置を設置し、この位置決め装置は掛止め体、弾性部品及び固定接続部品を含む。通し穴内には順に掛止め体及び弾性部品を装入し、固定接続体を結合する。固定接続体は弾性部品の後端を支える。弾性部品の前端は掛止め体を押して通し穴前端から突出させる。重ね合わせ構造により複数の理容はさみを重ね組み合わせた場合に、１つの理容はさみの凸部はもう１つの理容はさみの凹部に嵌まり込む。この凸部は掛止め体を圧して弾性部品の弾力を抑えて掛止め体を通し穴に縮み込める。凸部が掛止め部を超えた場合、弾性部品の弾性が復元し掛止め体が凸部底部の位置決め置で止まるように推し出し、複数の理容はさみを重ね合わせ、しっかり位置決めする。片手で同時に複数のはさみを持ってカット動作を行うときに、より安定し強固になり、片手で複数のはさみを持つのがより容易になる。
【０００５】
本発明のもう一つの目的は、重ね合わせ可能な理容はさみの位置決め装置の提供であり、理容はさみの第一の刃或いは／及び第二の刃に少なくとも１つの重ね合わせ構造を設ける。この重ね合わせ構造の前、後側面にはそれぞれアリミゾの凹部と該アリミゾに対応するアリガタの凸部を設け、重ね合わせ構造には通し穴を設ける。前記通し穴前端は凹部に隣接し貫通し、通し穴内には順に位置決め装置を設置し、この位置決め装置は軸を持つ掛止め体、位置決め片、制止片、弾性部品及び固定接続部品を含む。通し穴内には順に掛止め体、位置決め片、制止片及び弾性部品を装入し、位置決め片及び制止片に軸を通し、この制止片と軸は固定接続され、位置決め片は通し穴内に固定され、通し穴は更に固定接続部品を結合する。固定接続部品は弾性部品の後端を支える。弾性部品の前端は掛止め体を押し、制止片は位置決め片にあたり、掛止め体を通し穴前端から突出させ且つ凹部内に留まらせる。重ね合わせ構造により複数の理容はさみを重ね組み合わせた場合に、１つの理容はさみの凸部はもう１つの理容はさみの凹部に嵌まり込む。前記凸部は掛止め体を圧して弾性部品の弾力を抑えて掛止め体を通し穴に縮み込める。凸部が滑り移動して掛止め部を超えて、弾性部品の弾性が復元し掛止め体が凸部底部の位置決め置で止まるように推し出し、複数の理容はさみを重ね組み合わせ、しっかり位置決めする。
【０００６】
本発明のもう１つの目的は、重ね合わせ可能な理容はさみの位置決め装置の提供であり、理容はさみの第一の刃或いは／及び第二の刃に少なくとも１つの重ね合わせ構造及び位置決め装置を設ける。上述の刃には通し穴を設け、位置決め装置の結合に用いる。この位置決め装置は掛止め体、弾性部品及び固定接続部品を含み、通し穴の後端縁には制止部を設ける。通し穴内には順に掛止め体及び弾性部品を装入し、更に固定接続部品を結合する。固定接続部品は弾性部品の前端を支え、弾性部品の後端上部掛止め体を押して制止部に制止される。掛止め体は通し穴の後端から突出し、通し穴前端には凹入部が形成される；重ね合わせ構造により複数の理容はさみを重ね合わせた場合に、１つの理容はさみが移動して掛止め体を圧し、掛止め体を弾性部品の弾性を克服して通し穴に縮み込める。掛止め体がもう１つの理容はさみ凹入部に対し合う時、弾性部品の弾性が復元し、掛止め体を凹入部に設置し、複数の理容はさみを重ね組み合わせ、しっかり位置決めする。
【課題を解決するための手段】
【０００７】
請求項１の発明は、重ね合わせ可能な理容はさみの位置決め装置であり、第一の刃、第二の刃、少なくとも１つの重ね合わせ構造、及び少なくとも１つの位置決め装置を包含し、
第二の刃は第一の刃と軸結合し、重ね合わせ構造は第一の刃及び第二の刃のうち、少なくとも１つの刃に結合され、この重ね合わせ構造の前、後側面にはそれぞれアリミゾの凹部及び該アリミゾに対応するアリガタの凸部を備え、且つ重ね合わせ構造には通し穴を設け、この通し穴前端は凹部に隣接し、この凹部と理容はさみの間に制止壁が形成され、通し穴前端に制止部を備え、位置決め装置は通し穴内に設置され、この位置決め装置は掛止め体、弾性部品及び固定接続部品を含み、通し穴内に順にこの掛止め体及び弾性部品を装入し、更に固定接続部品を結合し、この弾性部品の後端は固定接続部品で制止し、この弾性部品の前端上部は掛止め体を押し、制止部で保持され、この掛止め体は通し穴前端から突出し、２つの隣接する理容はさみが重ね合わさる時、１つの理容はさみの凸部はもう１つの理容はさみの凹部に嵌り込み、この凸部は掛止め体を超え、凸部上端は制止壁で止まり、掛止め体が通し穴前端から突出し、凸部底端に嵌り掛かり、２つ隣接して重なり合った理容はさみの位置を定めることを特徴とする、重ね合わせ可能な理容はさみの位置決め装置としている。
請求項２の発明は、前記掛止め体は円球体とすることを特徴とする請求項１により述べる重ね合わせ可能な理容はさみの位置決め装置としている。
請求項３の発明は、重ね合わせ可能な理容はさみの位置決め装置であり、第一の刃、第二の刃、少なくとも１つの重ね合わせ構造、及び少なくとも１つの位置決め装置を包含し、
第二の刃は第一の刃と軸結合し、重ね合わせ構造は第一の刃及び第二の刃のうち、少なくとも１つの刃に結合され、この重ね合わせ構造の前、後側面にはそれぞれアリミゾの凹部及び該アリミゾに対応するアリガタの凸部を備え、且つ重ね合わせ構造には通し穴を設け、この通し穴前端は凹部に隣接し、この凹部と理容はさみの間に制止壁が形成され、
位置決め装置は通し穴内に設置され、この位置決め装置は支え軸を持つ掛止め体、位置決め片、制止片、弾性部品及び固定接続部品を含み、通し穴内に順にこの掛止め体及び弾性部品を装入し、更に固定接続部品を結合し、且つ支え軸はそれぞれ位置決め片への嵌め組み及び制止片への固定嵌めを行い、位置決め片は通し穴内に固定され、前記弾性部品の前、後端はそれぞれ制止片及び固定接続部品を支え、制止片は更に位置決め片に寄りかかり、掛止め体を弾性部品の作用により通し穴の前端から突出させ、
２つの隣接した理容はさみを重ね合わせた時、１つの理容はさみの凸部をもう１つの理容はさみの凹部に嵌め込み、この凸部が掛止め体を超え、凸部上端は制止壁で止まり、掛止め体は通し穴前端から突出し、凸部底端に嵌り掛かり、２つ隣接して重なり合った理容はさみの位置を定めることを特徴とする、重ね合わせ可能な理容はさみの位置決め装置としている。
請求項４の発明は、掛止め体は円球体とすることを特徴とする請求項３により述べる重ね合わせ可能な理容はさみの位置決め装置としている。
請求項５の発明は、重ね合わせ可能な理容はさみの位置決め装置であり、第一の刃、第二の刃、少なくとも１つの通し穴、少なくとも１つの重ね合わせ構造、及び少なくとも１つの位置決め装置を包含し、
第二の刃は第一の刃と軸結合し、通し穴は第一の刃及び第二の刃のうちで、少なくとも１つの刃に設置され、この通し穴後端には制止部を備え、通し穴前端には凹入部が形成され、重ね合わせ構造はアリミゾである凹部と該アリミゾに対応するアリガタである凸部を有し、該重ね合わせ構造は第一の刃及び第二の刃のうちで、少なくとも１つの刃に結合され、この重ね合わせ構造により隣接した２つの理容はさみを重ねて組み合わせ、位置決め装置は通し穴内に設置し、この位置決め装置は掛止め体、弾性部品及び固定接続部品を含み、通し穴内に順に掛止め体及び弾性部品を装入し、更に固定接続部品を結合し、弾性部品の前、後端それぞれは固定接続部品及び掛止め体に当て止まり、掛止め体を制止部で留め、通し穴後端から突出させ、
２つの隣接した理容はさみを重ね合わせた時、１つの理容はさみの掛止め体はもう１つの理容はさみの凹入部に嵌め込まれ、２つ隣接して重なり合った理容はさみの位置を定めることを特徴とする、重ね合わせ可能な理容はさみの位置決め装置としている。
請求項６の発明は、前記理容はさみを二つ重ね合わせた時、前方の理容はさみの前記通し穴後端より突出する前記掛止め体が後方の理容はさみの前記通し穴前端に嵌まり込むように、該理容はさみの前記固定接続部品の前側面に凹陥部を設けることを特徴とする、請求項５により述べる重ね合わせ可能な理容はさみの位置決め装置としている。
請求項７の発明は、前記通し穴は重ね合わせ構造に設置することができることを特徴とする請求項５により述べる重ね合わせ可能な理容はさみの位置決め装置としている。
請求項８の発明は、前記通し穴は重ね合わせ構造に設置することができることを特徴とする請求項６により述べる重ね合わせ可能な理容はさみの位置決め装置としている。
請求項９の発明は、前記掛止め体は円球体とすることを特徴とする請求項５により述べる重ね合わせ可能な理容はさみの位置決め装置としている。
【発明の効果】
【０００８】
本発明は重ね合わせ可能な理容はさみの位置決め装置の提供であり、それは理容はさみの第一の刃或いは／及び第二の刃に少なくとも１つの重ね合わせ構造を設ける。この重ね合わせ構造の前、後側面にはそれぞれ凹部と凸部を設け、重ね合わせ構造には通し穴を設ける。通し穴前端は凹部に隣接し相通し、通し穴内には位置決め装置を設置し、この位置決め装置は掛止め体、弾性部品及び固定接続部品を含む。通し穴内には順に掛止め体及び弾性部品を装入し、固定接続体を結合する。固定接続体は弾性部品の後端を支える。弾性部品の前端は掛止め体を押して通し穴前端から突出させる。重ね合わせ構造により複数の理容はさみを重ね組み合わせた場合に、１つの理容はさみの凸部はもう１つの理容はさみの凹部に嵌まり込む。この凸部は掛止め体を圧して弾性部品の弾力を抑えて掛止め体を通し穴に縮み込める。凸部が掛止め部を超えた場合、弾性部品の弾性が復元し掛止め体が凸部底部の位置決め置で止まるように推し出し、複数の理容はさみを重ね合わせ、しっかり位置決めする。片手で同時に複数のはさみを持ってカット動作を行うときに、より安定し強固になり、片手で複数のはさみを持つのがより容易になる。
【発明を実施するための最良の形態】
【０００９】
第２、３図をご覧いただきたい。本発明の第一実施例の理容はさみ２は、枢軸５０を軸に第一の刃３０及び第二の刃４０を重ね合わせ、第一の刃３０或いは/ および第二の刃４０の取っ手部３１、４１のそれぞれに少なくとも１つの重ねあわせ構造６０を設ける。重ね合わせ構造６０の前、後側面にはそれぞれ、凹部６１と凸部６２を設け、凹部６１と凸部６２の組み合わせ形態は鳩の尾や他の形状に合わせ組み接続でき、且つ重ね合わせ構造６０は他の構造にもできる。重ね合わせ構造６０を貫いて通し穴６１１が設けられ、通し穴６１１前端縁には制止部６１２を備える。第４図に示すように、通し穴６１１内に位置決め装置７０を設け、この位置決め装置７０は掛止め体７１、弾性部品７２及び固定接続部品７３を含み、通し穴６１１内に順に掛止め体７１及び弾性部品７２を装入し、更に固定接続部品７３を通し穴６１１後端に結合する。弾性部品７２後端は固定接続部品７３を支え、弾性部品７２の前端は掛止め体７１を支え、掛止め体７１は制止部６１２で止まり、掛止め体７１は通し穴６１１前端から突出し、凹部６１内に位置する。
【００１０】
複数の理容はさみ２を相互に貼り付けて重ね合わせる過程で、１つの美容はさみ２Ａの凸部６２はもう１つの理容はさみ２Ｂの凹部６１に合わせて嵌め込まれる。この凸部６２が移動し、掛止め体７１を圧して弾性部品７２の弾力を克服して、掛止め体７１を通し穴６１１内に縮み込める。この時、弾性部品７２は収縮状態になる。第５図が示すように、凸部６２が掛止め体７１を完全に超え、この凸部６２の上部が凹部６１及び取っ手部３１、４１間に形成される制止壁３１１、４１１で止まるとき、掛止め体７１は弾性部品７２の弾性回復力の採用を受け、通し穴６１１前端から移動突出し、凸部６２の底端で掛かり止まる。第６図に示すように、お互いに隣接した２本の理容はさみ２Ａ、２Ｂが相互にかみ合わさって位置が定まり、この位置決め方式を以って、並列に重ね合わさった複数の理容はさみ２の位置をしっかり定める。
【００１１】
本発明の第二実施例の位置決め装置７０は、第７図を参照いただきたい。この位置決め装置７０は支え軸７１１を持つ掛止め体７１、弾性部品７２及び固定接続部品７３を備える。この支え軸７１１にはそれぞれ位置決め片７４への嵌め組み及び制止片７５への固定嵌めを行う。この通し穴６１１内には順に掛止め体７１及び弾性部品７２を装入し、位置決め片７４を通し穴６１１内に固定させる。更に固定接続部品７３を通し穴６１１の後端に結合し、弾性部品７２の前、後端はそれぞれ制止片７５及び固定接続部品７３を支える。制止片７５は更に位置決め片７４に寄りかかり、掛止め体７１を通し穴６１１の前端から突出させ、且つ凹部６１内に位置させる。
【００１２】
同様に、複数の美容はさみ２が相互に貼り付けて重ね合わせる過程で、１つの美容はさみ２Ａの凸部６２はもう１つの理容はさみ２Ｂの凹部６１に合わせてはめ込まれる。この凸部６２が移動し、掛止め体７１を圧して弾性部品７２の弾力を克服して、掛止め体７１を通し穴６１１内に縮み込める。この時、弾性部品７２は収縮状態になる。第８図が示すように、凸部６２が移動し掛止め体７１を完全に超え、この凸部６２の上部が凹部６１と取っ手部３１、４１間に形成される制止壁３１１、４１１で止まるとき、掛止め体７１は弾性部品７２の弾性回復力の採用を受け、通し穴６１１前端から移動突出し、凸部６２の底端で掛かり止まる。第９図に示すように、お互いに隣接した２本の理容はさみ２Ａ、２Ｂが相互にかみ合わさって位置が定まり、この方式により、並列に重ね合わさった複数の理容はさみ２の位置をしっかり定める。
【００１３】
本発明の第三実施例の位置決め装置７０は、第１０図を参照いただきたい。この通し穴６１１は第一の刃３０或いは／及び第二の刃４０の取っ手部３１、４１に設置され、重ね構造６０前、後側面には同様にそれぞれ凹部６１及び凸部６２を設け、この凹部６１と凸部６２は相互に組み合わせてかみ合わせ接続でき、また重ね合わせ構造６０はその他の構造でもよい。この位置決め装置７０は通し穴６１１内に設置し、第１１図に示すように、通し穴６１１内に順に掛止め体７１及び弾性部品７２を装入し、更に固定接続部品７３を結合する。弾性部品７２の前端は固定接続部品７３を支え、弾性部品７２後端は掛止め体７１を支え、掛止め体７１は通し穴６１１後端の制止部６１２で止まるようにする。掛止め体７１は通し穴６１１後端から突出し、通し穴６１１前端は凹入部６１３を形成する。前述の重ね合わせ構造６０及び位置決め装置７０は第一の刃３０或いは/及び第二の刃４０の他の適切な位置にも設置できる。
【００１４】
複数の理容はさみ２は重ね合わせ構造６０を利用して相互に寄り添い重ねて組み合わせる過程にて、１つの理容はさみ２Ａは移動し掛止め体７１を圧して、弾性部品７２の弾力を克服して、掛止め体７１を通し穴６１１に縮み込める。この時、弾性部品７２は収縮状態を呈する。第１１図に示すように、掛止め体７１がもう１つの理容はさみ２Ｂの凹入部６１３に合わさる時、掛止め体７１は弾性部品７２の弾性復元力の作用を受け、凹入部６１３に嵌る。第１２図に示すように、お互いに隣接した２つの理容はさみ２Ａ、２Ｂはお互いに嵌り位置が定まり、この位置決め方式により、並列に重ね合わされた複数の理容はさみ２をしっかり固定する。
【００１５】
第三実施例中、位置決め装置７０を重ね合わせ構造６０上に直接設置できる。第１３図に示すように、通し穴６１１を重ね合わせ構造６０に設置し、位置決め装置７０を更に通し穴６１１内部に設置する。同様に複数の理容はさみ２が重ねて組み合わされた時、位置決めの効果を達成できる。
【００１６】
また、第三実施例で提示した位置決め装置７０の固定接続部品７３は通し穴６１１に固定され、二つの理容はさみを重ね合わせて、後方の理容はさみの第一の刃３０或いは／及び第二の刃４０前側面と前方の理容はさみの対応する刃の後側面を重ね合わせた時に、前方の理容はさみの前記通し穴後端より突出する前記掛止め体が後方の理容はさみの対応する前記通し穴前端に嵌まり込むように、該理容はさみの前記固定接続部品７３の前側面に凹陥部７３１を設ける。第１４図に示すように、凹陥部７３１は掛止め体７１のはめ込み位置決めを提供する。第１５図が示すように、前述の固定接続部品７３と通し穴６１１の結合方式は、ねじ留め、はめ込み接合、貼り付け接合、焼付け接合または他の固定結合方式により達成される。第一、第二実施例の固定接続部品７３と通し穴６１１は、はめ込み接合方式で提示され；第三実施例の固定接続部品７３と通し穴６１１はねじ紋接合方式で提示され、固定接続部品７３に外ねじ紋を設け、通し穴６１１には内ねじ紋を設け、内ねじ紋と外ねじ紋が組み合わさり、固定接続部品７３を通し穴６１１に連結する。
【００１７】
第一、第二及び第三実施例の述べる掛止め体７１は円球体であり、一番優れた実施様式である。もちろん、掛止め体７１は他の形状でも可能である。前述の弾性部品７２は、バネ、板バネ或いは他の弾性部品とすることができる。
【００１８】
２つの隣接した理容はさみ２Ａ、２Ｂの重ね合わせ及び位置決め状況は、第一、第二及び第三実施例の前述の説明の通りであり、２つの重なり合った理容はさみ２Ａ、２Ｂお分離するには、上述の重ね合わせ方式の逆の操作を行うだけで可能である。
【００１９】
この様に、本発明は以上の構造により組み立てられ、既知のものと比較して以下の進歩性を持つ、
複数の理容はさみ２を重ねて組み合わせた時、１つの理容はさみ２Ａの凸部６２がもう１つの理容はさみ２Ｂの凹部６１に嵌めこまれ、この凸部６２が移動すると同時に、掛止め体７１を圧して弾性部品７２の弾力を克服し、掛止め体７１を通し穴６１１に縮み入れる。凸部６２が掛止め体７１を完全に超えると、この凸部６２の上端が凹部６１と取っ手部３１、４１で形成される制止壁３１１、４１１で制止される。弾性部品７２の弾性が復元し、掛止め体７１を押し、掛止め体７１を凸部６２の底端に制止し位置を定める。この凸部６２の上、底端はそれぞれ制止壁３１１、４１１及び掛止め体７１で制止され、重ね合わさった複数の理容はさみ２をしっかり固定する。極めて安定した位置固定効果があり、片手で同時に複数の理容はさみ２を持って操作する時に、より優れた簡易性と安定性を備える。
【図面の簡単な説明】
【００２０】
【図１】重ね合わせ構造を表現する、既知の理容はさみの立体分解図である。
【図２】本発明の第一実施例を表示する立体分解図である。
【図３】本発明の第一実施例の重ね合わせ構造と位置決め装置を表示する立体分解図である。
【図４】本発明の第一実施例を表示する位置決め装置の断面拡大図である。
【図５】本発明の第一実施例の２つの理容はさみを重ね合わせた時に、嵌め込めセットの移動部分の組み合わせを表示する断面動作図である。
【図６】本発明の第一実施例の２つの理容はさみを重ね合わせた後、位置の定まった状態を呈する部分組み合わせを表示する断面図である。
【図７】本発明の第二実施例の位置決め装置の組み合わせを表示する断面の拡大図である。
【図８】本発明の第二実施例の２つの理容はさみが重なり合ったときの、嵌め込みセットの滑り移動部分の組み合わせを表示する断面動作図である。
【図９】本発明の第二実施例の２つの理容はさみが重なり合った後、位置の定まった状態を呈する部分組み合わせを表示する断面図である。
【図１０】本発明の第三実施例を表示する立体分解図である。
【図１１】本発明の第三実施例の２つの理容はさみが重なり合ったときの、嵌め込みセットの滑り移動部分の組み合わせを表示する断面動作図である。
【図１２】本発明の第三実施例の２つの理容はさみが重なり合った後、位置の定まった状態を呈する部分組み合わせを表示する断面図である。
【図１３】本発明の第三実施例の位置決め装置が重ね合わせ構造に設置され、且つ２つの位置決め装置がそれぞれ位置が定まっている組み合わせを表示する断面図である。
【図１４】本発明の第三実施例の２つの理容はさみの嵌め込みセットの滑り移動の断面を表示する動作図、固定接続部品前側面に凹陥部が設置されるである。
【図１５】本発明の第三実施例の２つの理容はさみが重なり合った後、位置の定まった状態を呈する組み合わせを表示する断面図、掛止め体は凹陥部嵌まり込むである。
【符号の説明】
【００２１】
１  理容はさみ
１０  第一の刃
２０  第二の刃
８０  重ね合わせ構造
８１  凹部
８２  凸部
２、２Ａ、２Ｂ  理容はさみ
３０  第一の刃
３１、４１  取っ手部
３１１、４１１  制止壁
４０  第二の刃
５０  枢軸
６０  重ね合わせ構造
６１  凹部
６１１  通し穴
６１２  制止部
６１３  凹入部
６２  凸部
７０  位置決め装置
７１  掛止め体
７１１  支え軸
７２  弾性部品
７３  固定接続部品
７３１  凹陥部
７４  位置決め片
７５  制止片
【図１】
0004451839.tif 000002
【図２】
0004451839.tif 000003
【図３】
0004451839.tif 000004
【図４】
0004451839.tif 000005
【図５】
0004451839.tif 000006
【図６】
0004451839.tif 000007
【図７】
0004451839.tif 000008
【図８】
0004451839.tif 000009
【図９】
0004451839.tif 000010
【図１０】
0004451839.tif 000011
【図１１】
0004451839.tif 000012
【図１２】
0004451839.tif 000013
【図１３】
0004451839.tif 000014
【図１４】
0004451839.tif 000015
【図１５】
0004451839.tif 000016